(57)【特許請求の範囲】
【請求項１】
人感センサを備えて人物の接近を検知したらカメラが撮像を開始するセンサカメラと、居住者を呼び出すための玄関子機と、前記カメラの撮像映像を表示する表示部を備えると共に、前記玄関子機からの呼び出しに応答する機能を備えた居室親機とを備え、
前記人感センサが、焦電センサ素子と、前記カメラの撮像範囲からの遠赤外線を所定のエリア毎に分割して前記焦電センサ素子に入射させるための分割集束手段と、前記焦電センサ素子と前記分割集束手段との間に設置され、前記所定のエリアに合わせて前記遠赤外線を遮蔽するマスクエリアを分割形成した透過型の液晶パネルと、前記液晶パネルの個々のマスクエリアをオン／オフ制御する液晶パネル制御部と、前記カメラが撮像した映像信号を外部に出力すると共に前記液晶パネルの制御信号を受信するためのインターフェース部とを備えて、前記液晶パネルを制御することで前記分割集束手段の任意の分割エリアから集束する遠赤外線を遮蔽し、前記人感センサの検知領域を限定する一方、
前記居室親機が、前記センサカメラの液晶パネルを操作するマスクエリア設定部と、前記マスクエリア設定部の操作を受けて、前記液晶パネル全体のマスクエリア区分線と前記カメラの撮像映像とを合わせて前記表示部に表示する表示制御部とを有し、
前記マスクエリア区分線で区分けされた前記人感センサの検知領域と、出画させた前記センサカメラの撮像範囲とが略一致するよう前記センサカメラと前記人感センサとを配置した状態において、前記表示制御部は前記マスクエリア設定部の操作を受けて、遮蔽操作されたマスクエリアに対応する前記表示部のエリアの表示色を変化させ、マスクエリアのオン／オフ領域を前記表示部で確認可能としたことを特徴とするインターホンシステム。
【請求項２】
前記マスクエリア設定部が表示部に組み付けられたタッチパネルであり、タッチ操作されたエリアに対応する液晶パネルのマスクエリアが遮蔽動作することを特徴とする請求項１記載のインターホンシステム。
【発明の詳細な説明】
【技術分野】
【０００１】
本発明は、人感センサを備えて人物の接近を検知したら撮像を開始するセンサカメラを備えたインターホンシステムに関する。
【背景技術】
【０００２】
従来より、人感センサを備えて人物が接近したらカメラが自動で撮像を開始するセンサカメラを備えて、防犯性を向上させたインターホンシステムがある（例えば、特許文献１参照）。このようなインターホンシステムは、玄関子機が操作されなくても、玄関等に人物が近づいたら居室親機において報知音が鳴動すると共に、起動したセンサカメラの撮像映像が表示され、更に録画が行われたりする。
一方、センサカメラに組み込まれる人感センサは、焦電センサ素子が使用され、例えば特許文献２に開示されているように、焦電センサの前方に多数個のレンズ小体を並設した光学レンズが配置され、人物の動きを良好に検知するよう構成されている。
【０００３】
【特許文献１】特開２００４−８８４１１号公報
【特許文献２】特開２０００−１３１１３６号公報
【発明の開示】
【発明が解決しようとする課題】
【０００４】
上記インターホンシステムに使用されるセンサカメラは、誤動作を無くすと共に確実に人物の接近を検知するように設置時に人感センサの検知領域が調整されるが、この調整作業は手動でセンサ部を直接操作して行われるため、比較的高い位置に設置されるセンサカメラ（監視カメラ）を調整する場合は面倒な作業となっていた。また、人感センサの検知特性自体を変更して、検知領域を狭める等の調整をすることは難しく、検知対象としたくない範囲まで検知領域が及ぶ場合には誤動作することが多かった。この場合は、不要な警告音等が発生することになり、居住者にとって使い勝手の悪いものとなっていた。
【０００５】
そこで、本発明はこのような問題点に鑑み、簡易な操作で人感センサの検知領域を調整できるセンサカメラを備え、居室親機の操作により検知領域を詳細に設定することができるインターホンシステムを提供することを目的とする。
【課題を解決するための手段】
【０００６】
上記課題を解決する為に、請求項１に記載の発明は、人感センサを備えて人物の接近を検知したらカメラが撮像を開始するセンサカメラと、居住者を呼び出すための玄関子機と、カメラの撮像映像を表示する表示部を備えると共に、玄関子機からの呼び出しに応答する機能を備えた居室親機とを備え、人感センサが、焦電センサ素子と、カメラの撮像範囲からの遠赤外線を所定のエリア毎に分割して焦電センサ素子に入射させるための分割集束手段と、焦電センサ素子と分割集束手段との間に設置され、所定のエリアに合わせて遠赤外線を遮蔽するマスクエリアを分割形成した透過型の液晶パネルと、液晶パネルの個々のマスクエリアをオン／オフ制御する液晶パネル制御部と、カメラが撮像した映像信号を外部に出力すると共に液晶パネルの制御信号を受信するためのインターフェース部とを備えて、液晶パネルを制御することで分割集束手段の任意の分割エリアから集束する遠赤外線を遮蔽し、人感センサの検知領域を限定する一方、居室親機が、センサカメラの液晶パネルを操作するマスクエリア設定部と、マスクエリア設定部の操作を受けて、液晶パネル全体のマスクエリア区分線とカメラの撮像映像とを合わせて表示部に表示する表示制御部とを有し、マスクエリア区分線で区分けされた人感センサの検知領域と、出画させたセンサカメラの撮像範囲とが略一致するようセンサカメラと人感センサとを配置した状態において、表示制御部はマスクエリア設定部の操作を受けて、遮蔽操作されたマスクエリアに対応する表示部のエリアの表示色を変化させ、マスクエリアのオン／オフ領域を表示部で確認可能としたことを特徴とする。
【０００７】
この構成によれば、液晶パネルのマスクエリアをオン操作して遠赤外線の遮蔽操作することによって、焦電センサ素子の人物検知領域を限定することが可能となる。よって、人物がセンサカメラに近づいても、所定の領域に入らなければ撮像を開始しないように設定でき、センサカメラの誤動作を防止することができる。
【０００８】
また、居室親機にてセンサカメラの人感センサの検知領域を設定することができるので、居住者にとって利便性がよい。
【０００９】
更に、個々のマスクエリアとマスクされるセンサカメラの撮像領域が重ねて表示され、遮蔽操作されたマスクエリアの色が変化するのでオン／オフ領域を撮像映像で確認でき、設定がし易く分かり易い。
【００１０】
請求項２の発明は、請求項１に記載の発明において、マスクエリア設定部が表示部に組み付けられたタッチパネルであり、タッチ操作されたエリアに対応する液晶パネルのマスクエリアが遮蔽動作することを特徴とする。
この構成によれば、マスクされる領域を直接タッチすることで設定でき、更に設定し易い。
【発明の効果】
【００１１】
本発明に係るインターホンシステムによれば、液晶パネルのマスクエリアをオン操作して遠赤外線の遮蔽操作することによって、焦電センサ素子の人物検知領域を限定できる。よって、人物がセンサカメラに近づいても、所定の領域に入らなければ撮像を開始しないように設定でき、センサカメラの誤動作を防止することができる。
また、居室親機にてセンサカメラを動作させる人感センサの検知領域を設定することができるので、居住者にとって利便性がよい。
【発明を実施するための最良の形態】
【００１２】
以下、本発明を具体化した実施の形態を、図面に基づいて詳細に説明する。図１は、本発明に係るインターホンシステムの一例を示すブロック図であり、１は人物の接近を検知して撮像動作するセンサカメラ、２は居住者を呼び出すための玄関子機、３は玄関子機２からの呼び出しを受けて応答するための居室親機である。
【００１３】
センサカメラ１は、カメラ１１、人感センサ１２、マイク及びスピーカを備えた通話部１３、居室親機３と通信を行うためのインターフェース（センサカメラＩＦ）１４、センサカメラ１の各部を制御するセンサカメラ制御部１５、設定データ等を記憶する記憶部１６とを備えている。そして、人感センサ１２は焦電センサ素子１７と液晶パネル１８と、光学レンズ（図２に示す）１９とを備えている。
【００１４】
一方、居室親機３は、センサカメラ１や玄関子機２に組み込まれた子機カメラ（図示せず）の撮像映像を出画する表示部２１、マイク及びスピーカを備えた通話部２２、各種設定を行うための設定部２３、センサカメラ１や玄関子機２と通信を行うための親機インターフェース（親機ＩＦ）２４、居室親機３を制御する親機制御部２５とを備えている。尚、設定部２３は表示部２１の前面に設置されたタッチパネルで構成されている。
【００１５】
図２は人感センサ１２の構成図であり、光学レンズ１９は多数のレンズ小体１９ａを並設して形成され、個々のレンズ小体１９ａの焦点が焦電センサ１７上に形成されるよう構成されている。光学レンズをこのように構成することで、焦電センサ１７が検知エリア内の人物の移動による遠赤外線の変化を検知し易くしている。
【００１６】
液晶パネル１８は、光学レンズ１９と焦電センサ１７の間に配置され、３者は平行に配置されている。そして、液晶パネル１８は光を通過させる透過形であり、オン操作することで非透過状態となり光の通過を阻止するよう構成され、光学レンズ１９のレンズ小体１９ａの配置に合わせて非透過となるマスクエリア１８ａがレンズ小体１９ａと同数分割形成されている。この個々のマスクエリア１８ａはセンサカメラ制御部１５の制御によりオン／オフ制御され、オン制御されたマスクエリア１８ａは非透過状態となる。
この作用により、対応する光学レンズ１９のレンズ小体１９ａが集束する光は液晶パネル１８により遮蔽されて焦電センサ１７に到達しなくなり、このレンズ小体１９ａの集光するエリアに人物が入っても人感センサ１２は検知しなくなる。
【００１７】
このように構成されたインターホンシステムの動作は以下のようである。尚、玄関子機２の呼出操作により居住者を呼び出し、玄関子機２と居室親機３の間で通信（呼出音鳴動、玄関子機２に備えられている子機カメラで撮像した映像を居室親機３にて出画することを含む）及び通話を行うことについては従来と同様であるので説明を省略し、ここではセンサカメラ１の作用を説明する。
【００１８】
センサカメラ１の人感センサ１２の検知範囲の設定は次のように成される。先ず、居室親機３の設定部２３を所定の操作するとセンサ検知範囲設定モードとなり、センサカメラ１のカメラ１１が起動して撮像映像が居室親機３の表示部２１に表示される。同時に、液晶パネル１８の個々のマスクエリア１８ａを表す分割線が重ねて表示される。このとき、表示部２１に分割線で分割表示されているエリアと個々のレンズ小体が集光するエリアは一致し、表示されている映像の各分割エリアが個々のレンズ小体が集光するエリアとなっている。
尚、この一致操作は、例えば人感センサ１２の実際の検知動作からカメラ１１のレンズ（図示せず）をズーム操作等することで行われる。
【００１９】
この表示状態で、タッチパネル（設定部２３）をタッチ操作すると、タッチした部位のエリア信号が親機ＩＦ２４を介してセンサカメラ１に伝送される。センサカメラ１は、このエリア信号をセンサカメラＩＦ１４を介して受信し、センサカメラ制御部１５の制御により液晶パネル１８の受信したエリア信号に対応するマスクエリア１８ａをオン制御し、不透明として入射光を遮蔽させる。
従って、人感センサ１２に検知してほしくないエリアをタッチ操作することで、タッチしたエリアがマスキングされて不感エリアを設定できる。尚、設定されたマスクエリアは、オン操作するマスクエリアとして記憶部１６に記憶される。
【００２０】
一方、居室親機３では、親機制御部２５の制御により表示部２１のタッチしたエリアが黒色に変化しカメラ１１の撮像映像は消される。このタッチパネル操作を、マスキングしたい任意のエリアに対して行うことで、設置環境に適した検知特性を備えた人感センサにできる。設定後は、記憶部１６の情報に基づいてセンサカメラ制御部１５が液晶パネル１８を制御し、人感センサ１２の検知範囲は設定された範囲に限定される。
【００２１】
このように、液晶パネルのマスクエリアをオン操作して遠赤外線の遮蔽操作することによって、焦電センサ素子の人物検知領域を限定することが可能となる。よって、人物がセンサカメラに近づいても、所定の領域に入らなければ撮像を開始しないように設定でき、センサカメラの誤動作を防止することができる。
また、居室親機にてセンサカメラの人感センサの検知領域を設定することができるので、センサカメラが高所に設置されても、人感センサの検知領域の設定や変更がし易い。而も室内で設定できるので居住者にとって利便性がよい。
更に、個々のマスクエリアとマスクされるセンサカメラの撮像領域が重ねて表示され、遮蔽操作されたマスクエリアの色が黒色に変化するのでオン／オフ領域を撮像映像で確認でき、設定がし易く分かり易い。
また、マスクされる領域を直接タッチ操作するだけで設定できるので、設定し易い。
【００２２】
図３は人感センサ１２の他の構成を示す断面説明図であり、２７は光学フィルタ、２８は反射板、２９はセンサカバーである。光学レンズ１９の代わりに反射板２８を用いて集光する構成を示している。液晶パネル１８は反射板２８と焦電センサ素子１７の間に配置されている。
上記実施形態では、複数のレンズ小体１９ａからなる光学レンズ１９を使用した構成を示しているが、このように入射光を反射させて集光する構成としても良く、反射板２８を上記レンズ小体１９ａに相当する複数の集光小体（図示せず）で形成して、焦電センサ１７に集光する途中に液晶パネル１８を配置することで同様に検知領域を設定でき、液晶パネルを制御することで  焦電センサ素子の人物検知領域を限定することができる。
【００２３】
尚、上記実施形態では、センサカメラ１の人感センサ１２を居室親機３で制御する構成を示しているが、センサカメラ１がインターホンに接続されていない場合は、所定の制御プログラムをインストールしたパーソナルコンピュータをセンサカメラに接続してカメラの撮像映像を見ながら行えば良い。
また、設定部２３をタッチパネルとしているが、別途十字キー等の各種ハードボタンを用いて設定することも可能であるし、記憶部１６は居室親機３に設けても良い。更に、通常動作時でも、表示部２１にマスクエリア１８ａの分割線の表示を継続させても良い。
【図面の簡単な説明】
【００２４】
【図１】本発明に係るインターホンシステムの実施形態の一例を示すブロック図である。
【図２】人感センサの構成図である。
【図３】人感センサの他の例を示す構成図である。
【符号の説明】
【００２５】
１・・センサカメラ、２・・玄関子機、３・・居室親機、１１・・カメラ、１２・・人感センサ、１４・・センサカメラインターフェース（インターフェース部）、１５・・センサカメラ制御部（液晶パネル制御部）、１７・・焦電センサ素子、１８・・液晶パネル、１８ａ・・マスクエリア、１９・・光学レンズ（分割集束手段）、１９ａ・・レンズ小体、２１・・表示部、２３・・タッチパネルから成る設定部（マスクエリア設定部）、２５・・親機制御部（表示制御部）、２８・・反射板（分割集束手段）。
【図１】
0004981541.tif 000002
【図２】
0004981541.tif 000003
【図３】
0004981541.tif 000004